(57)【要約】【課題】車両又はその一部である供試体の試験に供される車両試験装置が搭載される搭載台を、簡単な作業で確りと座席に固定する。【解決手段】車両又はその一部である供試体の試験に供される車両試験装置を前記供試体の座席上で保持するものであって、前記車両試験装置が搭載される搭載台と、前記供試体に設けられたＩＳＯＦＩＸアンカと接続され、前記搭載台を前記座席に固定する固定機構とを備えた保持装置。【選択図】図１
2020094908.tif 000002
【特許請求の範囲】
【請求項１】
車両又はその一部である供試体の試験に供される車両試験装置を前記供試体の座席上で保持する保持装置であって、
前記車両試験装置が搭載される搭載台と、
前記供試体に設けられたＩＳＯＦＩＸアンカと接続され、前記搭載台を前記座席に固定する固定機構とを備えを備えた保持装置。
【請求項２】
前記固定機構は長さ調節可能な伸縮機構を備えており、
前記伸縮機構の一端が前記搭載台に接続されており、他端が前記ＩＳＯＦＩＸアンカに接続可能に構成されている請求項１に記載の保持装置。
【請求項３】
前記搭載台が、前記座席の着座面に接触する底面と、前記座席の背もたれ面に接触する背面とを備え、
前記底面及び背面はいずれも平面状を成し、それぞれ前記着座面及び前記背もたれ面に面接触する請求項１又は２に記載の保持装置。
【請求項４】
前記搭載台が、前記底面と前記背面とを連結する連結部を更に備え、
前記連結部は、前記伸縮機構を介して前記ＩＳＯＦＩＸアンカに固定された際、前記搭載台の底面が前記座席の着座面に押圧され、かつ前記搭載台の背面が前記座席の背もたれ面に押圧される、請求項３に記載の保持装置。
【請求項５】
前記搭載台を前記座席上にセットした状態で、前記伸縮機構の一端が接続される前記連結部が、前記座席の背もたれ部の両脇に設けられたサイドサポート部よりも前方に位置する請求項４に記載の保持装置。
【請求項６】
前記車両試験装置が、前記供試体を自動運転する自動運転装置、又は前記供試体から排出される排ガスを分析する排ガス分析装置である、請求項１〜５のいずれかに記載の保持装置。
【請求項７】
前記車両試験装置を前記供試体の運転席又は助手席上で保持するものであって、
前記固定機構が、前記供試体の後部座席に設けられた前記ＩＳＯＦＩＸアンカに接続され、前記搭載台を前記運転席又は前記助手席に固定するように構成された請求項１〜６のいずれかに記載の保持装置。
【請求項８】
車両又はその一部である供試体の試験に供される車両試験装置を前記供試体の座席上で保持する保持装置であって、
前記車両試験装置が搭載される搭載台と、
前記搭載台を前記座席に固定する固定機構と
を備え、
前記搭載台が、前記座席の着座面に接触する底面と、前記座席の背もたれ面に接触する背面と、前記底面と前記背面とを連結する連結部とを備え、
前記固定機構が、前記連結部を前記座席の後方斜め下向きに引っ張ることにより、前記底面を前記着座面に押圧し、かつ前記背面を前記背もたれ面に押圧して、前記搭載台を前記座席に固定する保持装置。
【請求項９】
車両又はその一部である供試体の試験に供される車両試験装置が搭載される搭載台を前記供試体の座席に固定する方法であって、
前記供試体に設けられたＩＳＯＦＩＸアンカを用いて前記搭載台を前記座席に固定する、搭載台の固定方法。
【請求項１０】
前記供試体の運転席又は助手席に配置された前記搭載台を、前記供試体の後部座席に設けられた前記ＩＳＯＦＩＸアンカを用いて前記運転席又は前記助手席に固定する、請求項９に記載の搭載台の固定方法。
【請求項１１】
車両又はその一部である供試体の試験に供される車両試験装置が搭載され、前記供試体の座席の着座面に接触する底面と、前記座席の背もたれ面に接触する背面と、前記底面と前記背面とを連結する連結部とを備える搭載台を前記座席に固定する方法であって、
前記連結部を前記座席の後方斜め下向きに引っ張ることで、前記底面を前記着座面に押圧し、かつ前記背面を前記背もたれ面に押圧して、前記搭載台を前記座席に固定する搭載台の固定方法。
【発明の詳細な説明】
【技術分野】
【０００１】
本発明は、車両の試験に供される車両試験装置を前記車両の座席上で保持する保持装置、及びそれが備える搭載台の固定方法に関するものである。
【背景技術】
【０００２】
シャシダイナモメータを用いて車両の性能テストを行う場合、自動運転用ロボット等の車両試験装置が運転席に搭載され、これにより車両の運転操作が行われることがある。この場合、クッション性を有する運転席上で車両試験装置の位置や姿勢を安定させるため、搭載台を運転席に設置して固定し、この搭載台上に車両試験装置を搭載して保持するようにしている。
【０００３】
このような搭載台を運転席に固定する方法として、例えば特許文献１に開示されるように、長さ調節が可能なベルトの一端を搭載台に接続するとともに、他端を運転席下に設けられたバー等の車両部品に接続し、この状態でベルトを締めることにより搭載台を下方向に引っ張って運転席の着座面に密着させて固定する方法が知られている。
【先行技術文献】
【特許文献】
【０００４】
【特許文献１】特開２００３−１４９０８７号公報
【発明の概要】
【発明が解決しようとする課題】
【０００５】
しかしながら、上記した従来の固定方法は、搭載台を運転席の着座面に対して密着させて上下方向に固定できるものの、座席の前後方向に対して確りと固定されないため、車両試験中に自動運転用ロボットのペダル踏み込み操作等により搭載台の位置が前後にズレたり傾いたりする恐れがある。また運転席下のバー等の車両部品は、大きな負荷が加わることが想定されておらず、ベルトを強く締めすぎると部品が破損してしまう恐れがあるため、ベルトを強い力で締め付けることができないという問題もある。
【０００６】
運転席下の車両部品への接続に加えて、ベルトにより運転席の背もたれ部にも搭載台を接続することで、搭載台を運転席に確りと固定できるようになるが、ベルトを接続する箇所が増加するため搭載台の固定作業が煩雑になり、作業時間が増大してしまう。また、運転席下の構造や運転席の背もたれ部の形状は車種毎に異なるため、試験を行う車種が変わる毎に、搭載台を確りと固定できるようにベルトを接続できる箇所を探し出す必要があり、固定作業が煩雑になり作業時間が増大する一因となっている。
【０００７】
そこで本発明は、車両又はその一部である供試体の試験に供される車両試験装置が搭載される搭載台を、簡単な作業で確りと座席に固定することを主たる課題とするものである。
【課題を解決するための手段】
【０００８】
すなわち本発明に係る保持装置は、車両又はその一部である供試体の試験に供される車両試験装置を前記供試体の座席上で保持するものであって、前記車両試験装置が搭載される搭載台と、前記供試体に設けられたＩＳＯＦＩＸアンカと接続され、前記搭載台を前記座席に固定する固定機構とを備えることを特徴とする。
【０００９】
このようなものであれば、車両等の供試体に設けられたＩＳＯＦＩＸアンカを用いて搭載台を座席に固定することができるので、車両試験装置が搭載される搭載台を、簡単な作業で確りと座席に固定することができる。
すなわち、自動車の座席にチャイルドシートを固定する方式の国際標準規格であるＩＳＯＦＩＸやこれに相当する規格に対応するＩＳＯＦＩＸアンカは、車種によらず車両内におけるその設置位置が定まっているため、試験を行う供試体が変わったとしても、試験を行うオペレータは固定機構の接続位置を容易に見つけ出すことができ、簡単な作業で搭載台を座席に固定することができる。
また、ＩＳＯＦＩＸアンカは大きな負荷が加わることが想定されている部材であるので、搭載台とＩＳＯＦＩＸアンカとを例えばベルト等で接続し、このベルトを大きな力で締め付けたとしても破損する恐れが少ない。そのため、例えばベルト等を介して搭載台とＩＳＯＦＩＸアンカとを接続すると、ＩＳＯＦＩＸアンカの破損を案じることなくベルトを強い力で締め付けることができるので、搭載台を座席に確りと固定することができる。
【００１０】
保持装置は、前記固定機構が長さ調節可能な伸縮機構を備えており、前記伸縮機構の一端が前記搭載台に接続されており、他端が前記ＩＳＯＦＩＸアンカに接続可能に構成されていることが好ましい。このようなものであれば、伸縮機構の他端をＩＳＯＦＩＸアンカに接続して、伸縮機構の長さを調節（具体的には短く）してテンションをかけることにより、搭載台をより簡単に座席に固定できる。
【００１１】
前記した保持装置は、前記搭載台が備える前記座席の着座面に接触する底面と、前記座席の背もたれ面に接触する背面とがいずれも平面状を成し、それぞれ前記座席の前記着座面及び前記背もたれ面に面接触することが好ましい。このようなものであれば、底面及び背面が、着座面及び背もたれ面にそれぞれ面接触するので、その接触面積が増大し、搭載台をより確りと運転席に固定できるようになる。
【００１２】
前記保持装置は、前記搭載台が、前記底面と前記背面とを連結する連結部を更に備え、前記連結部は、前記伸縮機構を介して前記ＩＳＯＦＩＸアンカに固定された際、前記搭載台の底面が前記座席の着座面に押圧され、かつ前記搭載台の背面が前記座席の背もたれ面に押圧されるものを挙げることができる。このようなものであれば、伸縮機構をＩＳＯＦＩＸアンカに固定することにより、搭載台の底面と背面をそれぞれ、座席の着座面と背もたれ面に一挙に押圧することができるので、搭載台を座席により簡単にかつ確りと密着させて固定することができる。
【００１３】
このような態様において、前記搭載台を前記座席上にセットした状態で、前記伸縮機構の一端が接続される前記連結部が、前記座席の背もたれ部の両脇に設けられたサイドサポート部よりも前方に位置するように構成されていることが好ましい。このようなものであれば、連結部が背もたれ部のサイドサポート部よりも前方に位置するので、伸縮機構が連結部を引っ張った際に、連結部を座席の後方斜め下方向に向かって確実に引っ張ることができる。そのため、搭載台が前方斜め上方向に引っ張られて座席から浮き上がってしまう事態を防止し、より確実に座席に密着させて固定できるようになる。
【００１４】
前記車両試験装置の具体的な態様とて、前記供試体を自動運転する自動運転装置又は前記供試体から排出される排ガスを分析する排ガス分析装置を挙げることができる。
【００１５】
前記車両試験装置を前記供試体の運転席又は助手席上で保持するものであって、前記固定機構が、前記供試体の後部座席に設けられた前記ＩＳＯＦＩＸアンカに接続され、前記搭載台を前記運転席又は前記助手席に固定するように構成されていることが好ましい。このようなものであれば、本発明の効果をより顕著に出来る。
【００１６】
また本発明に係る保持装置は、車両又はその一部である供試体の試験に供される車両試験装置を前記供試体の座席上で保持するものであって、前記車両試験装置が搭載される搭載台と、前記搭載台を前記座席に固定する固定機構とを備え、前記搭載台が、前記座席の着座面に接触する底面と、前記座席の背もたれ面に接触する背面と、前記底面と前記背面とを連結する連結部とを備え、前記固定機構が、前記連結部を前記座席の後方斜め下向きに引っ張ることにより、前記底面を前記着座面に押圧し、かつ前記背面を前記背もたれ面に押圧して、前記搭載台を前記座席に固定することを特徴とする。
【００１７】
このようなものであれば、固定機構が、搭載台の連結部を座席の後方斜め下向きに引っ張ることにより、底面を着座面に、かつ背面を背もたれ面に一挙に密着させて搭載台を座席に固定できるので、車両試験装置が搭載される搭載台を、簡単な作業で確りと座席に固定することができる。
すなわち、搭載台を、座席の下方向と後ろ方向のそれぞれに対して別々に引っ張る必要が無く、後方斜め下向きの一方向にのみ引っ張るようにすればよいので、供試体に対する固定機構の接続箇所を少なくし、簡単な作業で搭載台を座席に固定することができる。
また、搭載台の底面と座席の着座面とが密着するだけでなく、搭載台の背面と座席の背もたれ面も密着するので、搭載台と座席の接触面積を増やし、搭載台を座席に確りと固定することができる。
【００１８】
また本発明に係る搭載台の固定方法は、車両又はその一部である供試体の試験に供される車両試験装置が搭載される搭載台を前記供試体の座席に固定する方法であって、前記供試体に設けられたＩＳＯＦＩＸアンカを用いて前記搭載台を前記座席に固定することを特徴とする。
また本発明に係る別の搭載台の固定方法は、車両又はその一部である供試体の試験に供される車両試験装置が搭載され、前記供試体の座席の着座面に接触する底面と、前記座席の背もたれ面に接触する背面と、前記底面と前記背面とを連結する連結部とを備える搭載台を前記座席に固定する方法であって、前記連結部を前記座席の後方斜め下向きに引っ張ることで、前記底面を前記着座面に押圧し、かつ前記背面を前記背もたれ面に押圧して、前記搭載台を前記座席に固定することを特徴とする。
【００１９】
これらの搭載台の固定方法であれば、上記した保持装置と同様の作用効果を得ることができる。
【００２０】
前記した搭載台の固定方法は、前記供試体の運転席又は助手席に配置された前記搭載台を、前記供試体の後部座席に設けられた前記ＩＳＯＦＩＸアンカを用いて前記運転席又は前記助手席に固定することが好ましい。
【００２１】
また前記した搭載台の固定方法は、前記座席の前記着座面と前記背もたれ面とが成す角度が、前記搭載台の底面と背面とが成す角度と同じか、それよりも小さくなっている状態で前記搭載台を前記座席に固定することが好ましい。このようなものであれば、搭載台を座席に固定する力を強くするにつれて、座席のクッション性によって、座席の背もたれ面と搭載台の背面との接触面積が増大し、搭載台をより確りと運転席に固定できるようになる。
【発明の効果】
【００２２】
このように構成した本発明によれば、車両又はその一部である供試体の試験に供される車両試験装置が搭載される搭載台を簡単な作業で確りと座席に固定することができる。
【図面の簡単な説明】
【００２３】
【図１】本実施形態における車両試験システムの全体構成を模式的に示す平面図。
【図２】同実施形態における保持装置の全体構成を模式的に示す斜視図。
【図３】同実施形態における運転席を上から視た概略図であり、保持装置の連結部と運転席のサイドサポート部との位置関係を説明する図。
【図４】同実施形態における搭載台が座席に固定されている状態を説明する図。
【図５】他の実施形態における保持装置の全体構成を模式的に示す斜視図。
【発明を実施するための形態】
【００２４】
以下、本発明の一実施形態に係る保持装置１００を具備する車両試験システムＳについて、図面を参照して説明する。なお以下においては、供試体の具体的な態様を完成車両として説明する。
【００２５】
本実施形態の車両試験システムＳは、例えばシャシダイナモメータを用いる車両の性能試験に供されるものであり、具体的には車両内に設置されて車両を自動運転するものである。より具体的には、図１に示すように、前部座席（具体的には運転席）ＦＳ上において車両を自動運転する車両試験装置ＴＤと、車両試験装置ＴＤを運転席ＦＳ上で保持する保持装置１００とを備えている。なお、本実施形態の車両試験システムＳが設置される車両は、自動車の座席にチャイルドシートを固定する方式の国際標準規格であるＩＳＯＦＩＸやこれに相当する規格に対応する所謂ＩＳＯＦＩＸアンカＡを後部座席ＢＳに備えている。このＩＳＯＦＩＸアンカＡは、ＩＳＯＦＩＸ対応のチャイルドシートを固定するためのチャイルドシート固定部ともいえる。
【００２６】
車両試験装置ＴＤは、例えば自動運転用ロボット等を備える自動運転装置であり、各種アクチュエータを備えて、アクセルペダルやブレーキペダルの踏み込み操作、ハンドル操作及びギアチェンジ操作等を行えるように構成されている。
【００２７】
保持装置１００は、車両の運転席ＦＳに固定されて車両試験装置ＴＤを保持するものである。具体的には、図１に示すように、運転席ＦＳに設置されるとともに、その上に車両試験装置ＴＤが搭載される搭載台１と、搭載台１を運転席ＦＳに密着させて固定する固定機構２とを備えている。
【００２８】
図１及び図２に示すように、搭載台１は、運転席ＦＳの着座部ＳＤに載せられるとともに、その上に車両試験装置ＴＤが搭載される搭載部１１と、運転席ＦＳの背もたれ部ＢＲに接触する背中部１２とを備えている。搭載部１１と背中部１２はいずれも概略板状のものであり、運転席ＦＳの着座部ＳＤと背中部１２に接触するように、略Ｌ字形状を成すように互いに連結されている。
【００２９】
搭載部１１は、車両試験装置ＴＤが搭載される搭載面１１１と、搭載面１１１の裏側に形成されて着座部ＳＤの着座面ＳＳに接触する底面１１２と、を有している。ここで底面１１２は平面状を成しており、着座面ＳＳと面接触できるように構成されている。搭載面１１１も、底面１１２と同様に平面状を成すように形成されているが、これに限らず、車両試験装置ＴＤの底面１１２の形状に合わせて、必要に応じて形状を変更してもよい。
【００３０】
背中部１２は、車両の前方側を向く前面１２１と、前面１２１の裏側に形成されて背もたれ部ＢＲの背もたれ面ＢＳに接触する背面１２２と、を有している。ここで背面１２２は平面状を成しており、背もたれ面ＢＳと面接触できるように構成されている。前面１２１は、背面１２２と同様に平面状を成すように形成されているが、これに限らず、必要に応じて形状を変更してもよい。
【００３１】
搭載台１は、底面１１２と背面１２２とを連結する左右一組（すなわち２つ）の連結部１３を更に備えている。各連結部１３は、横方向（底面１１２及び背面１２２に平行な方向）から視て搭載部１１の搭載面１１１から背中部１２の前面１２１にかけて設けられた部材であり、具体的にはその一端が搭載面１１１側に接合され、他端が前面１２１側に接合されている。これにより底面１１２と背面１２２とが連結部１３を介して連結されている。連結部１３には、固定機構２の一端が接続される接続部１３１が形成されている。接続部１３１は、例えば連結部１３を横方向に貫通する貫通孔等であるがこれに限らない。
なお、連結部１３は、搭載部１１や背中部１２と一体的に構成されていてもよく、これらと別体であってもよい。
【００３２】
この連結部１３（具体的には接続部１３１）は、横方向から視て、背中部１２の搭載面１１１よりも前方（具体的には前面１２１よりも前方）であって、かつ搭載部１１の底面１１２よりも上方（具体的には搭載面１１１よりも前方）に位置するように設けられている。より具体的には、連結部１３は、図１及び図３に示すように、搭載台１を運転席ＦＳに設置した状態で、運転席ＦＳの背もたれ部ＢＲの両脇に設けられたサイドサポート部ＳＰの前方端よりも前方に位置するように設けられている。
【００３３】
固定機構２は、搭載台１を運転席ＦＳの後方側に引っ張ることで、搭載台１を運転席ＦＳに押し付けて固定するものである。具体的には図１及び図２に示すように、長さ調節が可能な紐状の伸縮機構２１を備える。本実施形態では、固定機構２は、左右一組（すなわち２つ）の伸縮機構２１を備えている。以下では、一方の伸縮機構２１についてのみ説明し、他方の伸縮機構２１についての説明を省略する。
【００３４】
伸縮機構２１は、具体的には紐状体２１１と、紐状体２１１を引っ張って締める締結具２１２とを備える。紐状体２１１は、その一端が連結部１３（具体的には接続部１３１）に接続されており、他端が運転席ＦＳの後方に設けられた部材に接続できるように構成されたものであり、例えば荷締ベルト等である。締結具２１２は、紐状体２１１に取り付けられて、紐状体２１１の縮む方向への動きを可能にし、伸びる方向への動きを制限する、例えばラチェット式のものである。なお、紐状体２１１は荷締ベルトに限らず、ロードチェーン、ワイヤー、ロープ及び紐等であってもよい。
【００３５】
しかして本実施形態の保持装置１００は、固定機構２が、車両の後部座席ＢＳに設けられたＩＳＯＦＩＸアンカＡに接続されて、搭載台１を運転席ＦＳに固定するように構成されている。また固定機構２が、搭載台１の連結部１３を運転席ＦＳの後方斜め下方向に引っ張ることにより、底面１１２を着座面ＳＳに、かつ背面１２２を背もたれ面ＢＳに一挙に密着させて、搭載台１を運転席ＦＳに固定するように構成されている。
【００３６】
具体的には、固定機構２の紐状体２１１は、その一端が連結部１３の接続部１３１に接続されるとともに、他端が車両の後部座席ＢＳの着座面ＳＳと背もたれ面ＢＳの境目近傍に設けられたＩＳＯＦＩＸアンカＡ（ロウアンカレッジ）に接続可能に構成されている。そして連結部１３（具体的には接続部１３１）は、搭載台１を運転席ＦＳに設置した状態で、横方向から視て、ＩＳＯＦＩＸアンカＡよりも上方に位置するように連結部１３に設けられている。このため、紐状体２１１の一端を連結部１３に接続し、かつ他端をＩＳＯＦＩＸアンカＡに接続した状態で、締結具２１２により紐状体２１１を締めてテンションをかけていくと、図４に示すように、搭載台１の連結部１３が後方斜め下方向に力Ｆで引っ張られる。連結部１３は、この引張力Ｆにより、前面１２１側及び搭載面１１１側から搭載部１１及び背中部１２を押圧するようになる。後方斜め下方向に向かう引張力Ｆは下方向の力Ｆ１と後ろ方向の力Ｆ２とに分解され、底面１１２が着座面ＳＳに力Ｆ１で押付けられるとともに、背面１２２が背もたれ面ＢＳに力Ｆ２で押付けられるようになる。なお、固定機構２が備える２つの伸縮機構２１は、車両の１つの後部座席ＢＳに設けられた左右１組のＩＳＯＦＩＸアンカＡのそれぞれに接続される。
【００３７】
ここで、運転席ＦＳの背もたれ部ＢＲの角度を調整し、搭載台１を設置していない状態における運転席ＦＳの着座面ＳＳと背もたれ面ＢＳとが成す角度が、搭載台１の底面１１２と背面１２２とが成す角度と同じか、又はこれよりも小さくなるようにしている。この状態で、固定機構２によって搭載台１を後方斜め後ろ方向に引っ張って固定してゆくと、その引張力Ｆを強くするにつれて、背面１２２と背もたれ面ＢＳとの接触面積が増大し、搭載台１をより確りと運転席ＦＳに固定できるようになる。
【００３８】
このように構成した本実施形態の保持装置１００によれば、車両に設けられたＩＳＯＦＩＸアンカＡを用いて搭載台１を運転席ＦＳに固定し、しかも固定機構２が、搭載台１を運転席ＦＳの後方斜め下向きに引っ張ることにより、底面１１２を着座面ＳＳに押圧し、かつ背面１２２を背もたれ面ＢＳに押圧することで一挙に密着させて搭載台１を運転席ＦＳに固定できるので、車両試験装置ＴＤが搭載される搭載台１を、極めて簡単な作業で、しかも強固な力で確りと運転席ＦＳに固定することができる。
【００３９】
すなわち、自動車の座席にチャイルドシートを固定する方式の国際標準規格であるＩＳＯＦＩＸに対応するＩＳＯＦＩＸアンカＡは、車種によらず車両内におけるその設置位置が定まっているため、試験車両の車種が変わったとしても、車両試験を行うオペレータは搭載台１の固定位置を容易に見つけ出すことができる。さらに、搭載台１を運転席ＦＳの下方向と後ろ方向のそれぞれに対して別々に引っ張る必要が無く、後方斜め下向きの一方向にのみ引っ張るようにすればよいので、固定機構２と搭載台１との接続箇所を少なくできる。このため、極めて簡単な作業で搭載台１を運転席ＦＳに固定することができる。
【００４０】
また、ＩＳＯＦＩＸアンカＡは大きな負荷が加わることが想定されている部材であり、荷締めベルト２１１を大きな力で締め付けたとしても破損する恐れが少ないので、ＩＳＯＦＩＸアンカＡの破損を案じることなく、ラチェット式の締結具２１２によりベルト２１１を強く締め付けることができる。さらに、底面１１２と着座面ＳＳとが密着するだけでなく、背面１２２と背もたれ面ＢＳも一挙に密着するので、搭載台１と運転席ＦＳとの接触面積を増やすことができる。これにより、搭載台１を強固な力で確りと運転席ＦＳに固定することができる。
【００４１】
なお、本発明は前記実施形態に限られるものではない。
【００４２】
上記実施形態では、固定機構２は、ＩＳＯＦＩＸアンカＡに接続され、かつ搭載台１を運転席ＦＳの後方斜め下向きに引っ張ることにより底面１１２を着座面ＳＳに、かつ背面１２２を背もたれ面ＢＳに一挙に密着させて搭載台１を運転席ＦＳに固定するものであったが、これに限定されない。
【００４３】
他の実施形態の固定機構２は、一端がＩＳＯＦＩＸアンカＡに接続されて搭載台１を運転席ＦＳに固定するように構成されていれば、固定機構２により搭載台１を引っ張る方向は限定されない。固定機構２は、例えば搭載台１を運転席ＦＳの後方のみに引っ張るように構成してもよい。このようなものであっても、ＩＳＯＦＩＸアンカＡを用いて搭載台１を固定することにより、搭載台１を短時間で確りと運転席ＦＳに固定することができる。
【００４４】
また他の実施形態の固定機構２は、搭載台１を運転席ＦＳの後方斜め下向きに引っ張ることにより底面１１２を着座面ＳＳに、かつ背面１２２を背もたれ面ＢＳに一挙に密着させて搭載台１を運転席ＦＳに固定するように固定されていれば、ＩＳＯＦＩＸアンカＡに接続されなくてもよい。例えば、固定機構２が備える紐状体２１１の他端を、後部座席ＢＳ用のシートベルトのバックル等の任意の部品に接続してよい。また、固定機構２が備える紐状体２１１は、搭載台１を搭載する座席の背面において連結されてもよい。すなわち、搭載台１が搭載される座席に対して、搭載台１を縛り付けるようにしてもよい。
【００４５】
伸縮機構２１の他端は、ＩＳＯＦＩＸアンカＡに直接接続されてもよく、フック等の接続部品を介して接続されていてもよい。また固定機構２は、ＩＳＯＦＩＸ規格に対応するＩＳＯＦＩＸコネクタを紐状体２１１の他端に備え、当該ＩＳＯＦＩＸコネクタによりＩＳＯＦＩＸアンカＡに接続されてもよい。
【００４６】
前記実施形態における車両試験装置ＴＤは自動運転装置であったが、これに限定されない。他の実施形態における車両試験装置ＴＤは、例えば供試体から排出される排ガスを分析する車載型の排ガス分析装置等であってもよい。
【００４７】
他の実施形態の搭載台１は、底面１１２と背面１２２とが成す角度を任意で変更できるように、搭載部１１と背中部１２とが互いに回動可能に連結されていてもよい。
【００４８】
他の実施形態の搭載台１は、搭載部１１の底面１１２の大きさ及び背中部１２の背面１２２の大きさを変更できるように構成されていてもよい。
【００４９】
前記実施形態では、固定機構２は２つの伸縮機構２１を備え、それぞれの他端が１つの後部座席ＢＳに設けられた左右２つのＩＳＯＦＩＸアンカＡにそれぞれ連結されていたがこれに限定されない。他の実施形態では、２つの伸縮機構２１のそれぞれの他端が１つのＩＳＯＦＩＸアンカに連結されるようにしてもよい。また他の実施形態では、固定機構２は伸縮機構２１を１つのみ備えるものであってもよい。この場合、伸縮機構２１の一端を１組の連結部２２１の一方に連結し、他端を１組の連結部２２１の他方に連結し、一端と他端の間の中間部を１つ又は２つのＩＳＯＦＩＸアンカＡに連結するようにしてもよい。
【００５０】
また前記実施形態において保持装置１００が備える搭載台１は運転席ＦＳ上に置かれて車両試験装置ＴＤを保持するものであったが、これに限定されない。他の実施形態では、搭載台１は助手席等の他の運転席ＦＳ上に置かれてもよく、後部座席ＢＳ上に置かれてもよい。なお、車両試験装置ＴＤが自動運転装置である場合、搭載台１は運転席ＦＳ上に配置される必要がある。車両試験装置ＴＤが排ガス分析装置である場合には、助手席ＦＳに配置されることが好ましい。
【００５１】
前記実施形態において、搭載台１の背中部１２は１枚の板状のものであったがこれに限定されない。他の実施形態の背中部１２は、図５に示すように、枠１２３と、枠１２３に固定された複数の板状部材１２４から構成されていてもよい。
【００５２】
前記実施形態では供試体の具体的態様として完成車両を挙げて説明したがこれに限らない。他の実施形態では、供試体は完成車両の一部であってもよい。
【００５３】
その他、本発明は前記実施形態に限られず、その趣旨を逸脱しない範囲で種々の変形が可能であるのは言うまでもない。
【符号の説明】
【００５４】
１００・・・保持装置
１    ・・・搭載台
１１２・・・底面
１２２・・・背面
２    ・・・固定機構
ＴＤ  ・・・車両試験装置
Ｍ    ・・・車両
ＦＳ  ・・・前部座席
ＳＳ  ・・・着座面
ＢＳ  ・・・背もたれ面
Ａ    ・・・ＩＳＯＦＩＸアンカ
【図１】
2020094908.tif 000003
【図２】
2020094908.tif 000004
【図３】
2020094908.tif 000005
【図４】
2020094908.tif 000006
【図５】
2020094908.tif 000007